(57)【特許請求の範囲】
【請求項１】
複数の記録条件設定モードに従って単位時間当たりの情報量を変化させて情報を記録媒体に記録し又は前記記録媒体から情報を読み取る手段と、
前記記録媒体に記録可能な記録媒体の記録容量を求めて前記記録容量と前記単位時間当たりの情報量とから記録可能時間を算出する算出手段と、
前記記録容量と録画対象番組の放送時間とに基づいて記録条件設定モードの一モードを算出する算出手段と、
入力手段により入力された設定に基づいて前記複数記録条件モードのどれかをを決定する決定手段と、
前記記録条件設定モードの一モードを含んだ記録条件設定モードを表示する表示手段と、を備え、
前記表示手段は、前記複数の記録条件設定モードに対応した平均記録レートを表示するとともに、前記複数の記録条件設定モードの表示順序位置についてその平均記録レートの数値の大きさの順に従って表示する
ことを特徴とするデジタル録画装置。
【請求項２】
請求項１に記載のデジタル録画装置において、
前記算出した記録条件設定モードの一モードを当該平均記録レートの数値の変更に伴ってその表示順序位置を平均記録レート数値の順に変更させる
ことを特徴とするデジタル録画装置。
【請求項３】
請求項１又は２に記載のデジタル録画装置において、
前記表示手段は、前記記録条件設定モードの一モードに対応する平均記録レートよりも高い値の平均記録レートをもつ記録条件設定モードについて、そのモード表示を変更し且つモード選択できないようにする
ことを特徴とするデジタル録画装置。
【請求項４】
入力画像の記録レートを可変させ単位時間当たりの情報量を変化させて記録媒体に画像を記録するデジタル録画装置において、
記録レートの異なる初期設定された複数の画質・録画時間設定モードの外に、前記記録媒体に記録可能な記録容量と録画対象番組の放送時間とに基づいて番組全てを録画できる全録画設定モードを設け、
前記複数の画質・録画時間設定モード及び全録画設定モードにそれぞれ対応する平均記録レートによって前記単位当たり情報量の変化制御を行い、
全ての設定モードとそれぞれに対応する平均記録レートとを関連させて表示すると共に、平均記録レートの数値の大きさの順番に表示する
ことを特徴とするデジタル録画装置。
【発明の詳細な説明】
【０００１】
【発明の属する技術分野】
本発明は、デジタル方式で画像や音声情報を記録、再生する装置に関して、更に詳しくは、記録媒体の記録可能な容量に応じて、単位時間当たりの情報量を変化させて最適な記録レートで放送事組を録画する場合に、記録レートなどの情報を使用者に的確に提供するための技術に関するものである。
【０００２】
【従来の技術】
近年、デジタル技術の発展により、従来のビデオテープレコーダー（以下、ＶＴＲという）だけでなく、ＭＰＥＧ２と呼ばれる可変レートの情報圧縮方式を用いて放送番組を記録する装置が提案されている。ＭＰＥＧ２（Ｍｏｖｉｇ  Ｐｉｃｔｕｒｅ  Ｉｍａｇｅ  Ｃｏｄｉｎｇ  Ｅｘｐｅｒｔｓ  Ｇｒｏｕｐ  Ｐｈａｓｅ２）と呼称される動画圧縮の世界標準方式の概要については、日経エレクトロニクス誌１９９４年３月１４日号、７７頁に「画像圧縮方式ＭＰＥＧ２次世代インフラの要に」と題して詳述されている。このＭＰＥＧ２は、通常のテレビジョン放送からハイビジョン放送までを対象とした高画質仕様であり、記録レートとしては、画像やオーディオ情報を３Ｍｂｐｓ程度まで圧縮することが想定される。
【０００３】
さて、先のＶＴＲにおいては、現在、家庭で最も普及しているＶＨＳ方式を例にすると、録画モードとして標準録画モードと長時間（３倍）録画モードの２方式を有しているのが一般的である。長時間録画モードとは標準録画モードに比べて、記録媒体であるビデオテープの記録トラック幅とトラックピッチを短縮してテープ送り速度を遅くすることで長時間化するものであり、記録再生時の画質は劣るがテープの消費量が少なくて済む方法である。
【０００４】
使用者はテープの残り容量や録画する番組の重要性に応じて適時、モードを切り替えて録画を行うようになっている。この時に標準録画モードを選択すると、録画希望の番組の時間長に対してテープの残り容量が足りない状況がおこりうる。しかしながらここで長時間録画モードを選択すると、所望の番組を録画し終わった後でも、なお記録媒体が余剰となる無駄を生じ、且つ画質が低下してしまう。この場合、ユーザーは先の番組を全部録画する事に加えて、記録媒体を全部使用して可能な限り高画質で記録したいという要望を持つ。
【０００５】
このような、録画番組がテープに納まるように記録時間を調節する方法としては特開平５−２０７５４公報に記載の「タイマ動作管理装置」のように、タイマー予約による録画が行われる時、予約番組に必要なテープ残量が不足するような場合に自動的にそのことを判定して、記録速度を切換え予約番組の録画ミスを防止する技術が開示されている。また、最初から何分の時点で録画モードを切り替えるかの時間設定を、テープの残量と録画する番組の時間とにより自動計算して設定されるようになっているものが市販されてもいる。
【０００６】
これに対してＭＰＥＧ２を用いた録画装置では記録する映像のビットレートを可変制御することができる。映像のビットレートを連続的に可変して平均的に一定のビットレートとなるようにし、複雑な画面ではより高いビットレートを割り当て、単純な画面では低いビットレートを割り当ててより高画質となるようにする。このようなＭＰＥＧ２圧縮モジュールに応じて平均ビットレートを調節することにより、全体的な画質と記録時間を調節することができる。
【０００７】
平均ビットレートの調整方法としては、可変レートの最大値を下げるよう調整し結果として平均値を下げたり、レートのとりうる値の全域において必要なレートより均等に下げる、また、レートのある特定の範囲のみを限定的に下げる方法などがある。
【０００８】
その為、ＭＰＥＧ２を用いた録画装置ではＶＴＲのように２段階の録画条件ではなく無数の録画モードを持つことが可能である。また、前記ＶＴＲのように録画中に録画モードを切り替えるのではなく、録画に先立ち使用する記録媒体と記録対象番組の全体放映時間を正確に調べて、最適な記録レートを算出することにより、記録媒体の残量に応じて最適な効率で番組全てを録画できる。
【０００９】
特開平１０−９２１０６号公報「データ記録装置、データ再生装置及び画像記録再生装置」には、こうした技術を利用し、使用者が記録画質等の記録品質を設定できるようにし、さらに、予約された番組が記録媒体内に記録できるように圧縮率を自動設定できるようにした装置が記載されている。
【００１０】
【発明が解決しようとする課題】
ところで、前記した特開平１０−９２１０６号公報に記載されたような技術を用い、記録画質等の記録品質を設定する時、録画予約する番組が記録媒体内に録画できるように平均記録レートを自動設定するモードを選択してテレビ番組を録画する場合、自動設定された平均記録レートがどの程度の記録品質であるのかが即座にわかると便利である。
【００１１】
録画する番組の記録品質を決定するにあたっては、番組の内容に依存することが多い。内容がわかれば記録品質が低くていい場合や、逆に一定以上の記録品質でもって録画を行いたい場合など様々な要望が生じる。その為、記録レートを自動設定する場合でも、その自動設定モードを選択するかどうかを判断する為に、どの程度の記録品質になるかを提示することが非常に重要となる。
【００１２】
例えば、高画質での録画を希望する時に記録容量上、最高画質での録画が不可能であっても、自動設定モードでの画像品質が最高画質に極めて近い品質の場合、自動設定モードを容認し録画の指示を行うことがある。逆に、自動設定モードでの画像品質が標準品質以下になるなど希望品質に達しないような場合、このモードでの録画は行わない、または記録媒体を交換できる場合には新たに記録媒体を用意するなどして記録品質を保つという措置を取ることが考えられる。
【００１３】
そのため、自動設定モードの記録レートを正確に把握しないと、必要以上の画像品質で録画を行い記録媒体を無駄に消費したり、許容できる画像品質であるにも関わらずその記録媒体に記録を行わなかったりという問題が生じ、好ましくない。
【００１４】
本発明は、前記のごとき問題点に鑑みてなされたもので、その目的は可変レートで情報を記録する場合にあっても記録レートの違いによる記録条件設定の選択肢を表示し、記録媒体の記録可能時間より自動的に算出される記録レートが前記表示される条件との比較により、どの程度のレベルになるのかを視覚的にわかりやすく表示し、使用者の条件設定判断を行いやすくすることにある。
【００１５】
【課題を解決するための手段】
前記課題を解決するために、本発明は主として次のような構成を採用する。
【００１６】
複数の記録条件設定モードに従って単位時間当たりの情報量を変化させて情報を記録媒体に記録し又は前記記録媒体から情報を読み取る手段と、
前記記録媒体に記録可能な記録媒体の記録容量を求めて前記記録容量と前記単位時間当たりの情報量とから記録可能時間を算出する算出手段と、
前記記録容量と録画対象番組の放送時間とに基づいて記録条件設定モードの一モードを算出する算出手段と、
入力手段により入力された設定に基づいて前記複数記録条件モードのどれかをを決定する決定手段と、
前記記録条件設定モードの一モードを含んだ記録条件設定モードを表示する表示手段と、を備え、
前記表示手段は、前記複数の記録条件設定モードに対応した平均記録レートを表示するとともに、前記複数の記録条件設定モードの表示順序位置についてその平均記録レートの数値の大きさの順に従って表示するデジタル録画装置。
【００１７】
入力画像の記録レートを可変させ単位時間当たりの情報量を変化させて記録媒体に画像を記録するデジタル録画装置において、
記録レートの異なる初期設定された複数の画質・録画時間設定モードの外に、前記記録媒体に記録可能な記録容量と録画対象番組の放送時間とに基づいて番組全てを録画できる全録画設定モードを設け、
前記複数の画質・録画時間設定モード及び全録画設定モードにそれぞれ対応する平均記録レートによって前記単位当たり情報量の変化制御を行い、
全ての設定モードとそれぞれに対応する平均記録レートとを関連させて表示すると共に、平均記録レートの数値の大きさの順番に表示するデジタル録画装置。
【００１８】
【発明の実施の形態】
本発明の実施形態に係るデジタル録画装置について図１〜図３を用いて以下説明する。図１は本発明の実施形態に係るデジタル録画装置の構成を示すブロック図である。
【００１９】
図１において、１は放送局から放送されるテレビ信号を受信するチューナである。チューナの構成は受信する放送の種類、例えばデジタル放送、アナログ放送、衛星放送、ケーブル放送などの種別により異なる構成となるが、どのような構成のものでもよい。
【００２０】
２は情報の圧縮、伸長等を行う記録信号処理部であり、例えばいわゆるＭＰＥＧ２方式の圧縮伸長回路（ＭＰＥＧ２エンコーダ／デコーダー）で構成されている。記録信号処理部２では３Ｍｂｐｓから２４Ｍｂｐｓの範囲で符号化レートを可変できるものを用いている。記録信号処理部２は、記録レート制御部５４から供給される圧縮率データに基づいて指定される符号化データレートの符号化データが得られるように符号化を行う。
【００２１】
３は記録媒体の動作制御を行い、記録媒体から情報を読みとり、あるいは記録媒体に情報を記録する記録媒体制御部であり、４は情報を記録する記録媒体である。本実施形態においてはランダムアクセスが可能な媒体、例えばハードディスクやＤＶＤ−ＲＡＭ等の光磁気ディスクを前提に説明を行うが、ビデオテープのようなシーケンシャルアクセスの媒体であっても実現は可能である。
【００２２】
５のシステム制御部は、このデジタル録画装置の全体動作を制御するもので、記録残量管理部５１と、時間管理部５２と、記録レート演算部５３と、記録レート制御部５４等を備える。記録残量管理部５１は、記録媒体制御部３が記録媒体４から読みとった情報から記録可能容量を求める。時間管理部５２は、記録時間の計算やディスクに記録可能なデータ量から記録可能時間の計算を行う。記録レート演算部５３は、記録残量管理部５１が求めた記録可能容量と番組の総時間とに基づいて、番組を全て記録できる平均記録レートを求める。記録レート制御部５４は、記録レート演算部５３が求めた平均記録レートを記録信号処理部２内の圧縮伸長回路へ供給して符号化データのデータレートを制御する。
【００２３】
６は、液晶パネルやモニタなどの表示装置に必要なユーザインタフェース情報を表示する表示制御部である。表示制御部６ではシステム制御部５からの情報により機器の動作状態や録画画質の設定状態、各種の入力操作を行うためのガイダンスの表示を制御する。なお、これらはリモコンの画面などに表示させることも可能である。
【００２４】
７は、ユーザが機器の動作に対して操作パネルやリモコンなどにより操作を行う操作部である。この実施形態においては、ユーザは録画、再生、録画予約、録画条件設定などの指示を行うが、その他の各種ユーザからの指示についてもこの操作部７から行われる。
【００２５】
次に、予約録画操作時等における、ディスクの空き容量に応じた録画条件設定について説明する。従来のＶＴＲ機器で放送番組等の予約録画を行う場合を考えてみると、単位時間当たりの情報量が一定である為、例えば記録可能な領域であるテープの残量（つまりテープの残りの長さ）がわかれば、録画するモード（テープ速度）によって、記録可能時間は一意的に決定し簡単に算出することができる。通常のＶＨＳ方式を例にとると、１２０分テープには標準録画モードで１２０分、長時間（３倍）録画モードで３６０分の録画が可能となっている。
【００２６】
ただし、画質モードは前記２種類しかない為、記録可能時間を調節することで記録可能領域を効率的に使用するといったことは難しい。例えば、１２０分テープを用いて３時間番組を録画したい場合、画質を落として長時間録画モードで録画しテープの半分だけ使用するか、若しくはテープを２本使用し、画質を落とさないようにして標準録画モードで録画する。後者の場合でも２本目のテープは半分しか使用されない。
【００２７】
このように従来のＶＴＲでは、記録媒体を効率的に使用できない場合はあるものの、使用者はテープの残り時間と記録したい番組の時間、それに録画モードとの関係を容易に判断できるため、操作上は特に問題は生じなかった。
【００２８】
しかしながら、可変レート記録可能な録画装置の場合を考えてみると、一般に、可変レートで情報を記録する場合、平均ビットレートを調節することで全体的な画質や記憶領域使用量を調節することができる。全体的な画質と使用される記録媒体の容量はトレードオフの関係（相反関係）になるが、その調節量は記録可能なレートの範囲の中で比較的自由に設定できる。そのため、−定の記録容量であれば平均ビットレートの調整により記録可能時間も可変される。これらのことにより、記録時間と記録媒体の残り容量にあわせて平均ビットレートを調節し、記録可能領域を効率的に使用することも可能である。
【００２９】
ここで、平均記録レートが一定の範囲で自由で設定できたとしても、録画または録画予約の都度、平均記録レートの値を具体的に数値を入力して設定するのは、いかにも不便である。そのため、この録画装置には、その使い勝手を考慮すると、前記調節量として平均記録レートの設定にあたっては、予め何段階かにわけた幾つかの平均記録レートを設定値として提示し、使用者はそれを選択することによって平均記録レートの設定ができるようにしておくことが望ましい。
【００３０】
この時に、記録媒体の残り容量と記録する番組の放送時間、それに各設定値としての平均記録レートとの関係がわかりにくいと、使用者の判断にミスが生じ、うまく番組を録画できなかったり、逆に必要もないのに画質を落として記録してしまう可能性がある。
【００３１】
特に録画する番組が記録可能領域内に録画できるように、録画対象の放送時間と記録媒体の記録容量から算出される調整平均記録レートについては、記憶媒体の残り容量と記録したい番組の時間により常に記録レートが可変される為、使用者の判断が難しい。
【００３２】
本実施形態のユーザインタフェースでは、可変レートで情報の記録を行う場合に、録画条件設定の選択肢として、幾つかの規定値の平均記録レートを表示するとともに、録画する番組が記録可能領域内に記録できるように、録画対象の放送時間と記録媒体の記録容量から算出される調整平均記録レートを選択肢として同時に表示し、なおかつ、調整平均記録レートの値により表現位置等の表現方法を変化させ、他の規定値の記録レートとの関係を明示することとする。
【００３３】
以下、本発明の実施形態にかかる、録画条件設定の選択肢を表示するユーザインタフェースの例について説明する。本実施形態では、可変レート最大値を２４Ｍｂｐｓ、最小値を３Ｍｂｐｓとする。また、記録レートの条件設定としてＨＤモード、高画質モード、標準モード、長時間モード、ピッタリモードの５つを選択できるようにする。各モードの平均記録レートはそれそれ、ＨＤ（高精細）モードが２４Ｍｂｐｓ、高画質モードが１０Ｍｂｐｓ、様準モードが６Ｍｂｐｓ、長時間モードが３Ｍｂｐｓである。ピッタリモードは平均記録レートが可変するモードであり、録画する番組が記録可能領域内に録画できるように、録画対象の放送時間と記録媒体の記録容量から算出される調整平均記録レートの値を持つ。
【００３４】
図２は、本発明の実施形態にかかるケース１での、録画条件設定の設定画面の例を示した図である。表示装置上に、録画条件設定の表示２００として表示項目２０１には、ディスクの空き容量を、表示項目２０２には使用者が設定した予約記録時間を表示し、表示項目２０３〜２０７には記録する条件設定の選択肢を表示する。表示項目２０３はＨＤモード、表示項目２０４は高画質モード、表示項目２０５はピッタリモード、表示項目２０６は標準モード、表示項目２０７は長時間モードである。表示項目２０３〜２０７の各選択肢には、各モードの名称を表示する。また、表示２００上には各モードとの関連がわかるように、設定されている平均記録レート及びその平均記録レートで記録し続けたときの記録可能時間及び記録を行った場合の残り時間を表示する。
【００３５】
ディスクに情報を記録可能なディスク空き容量は、記録媒体制御部３により、ディスクに記録されている情報を読み出すことにより容易に知ることができる。また、各記録モードにおける記録時間、調整平均レートの算出は、時間管理部５２が行う。
【００３６】
本ケースでは、予約記録時間として２１：００から２２：５０までの１１０分とし、この予約設定時にディスク容量が７．５ＧＢあるとする。これはディスク残り容量が、可変レートが最大であるＨＤモードで指定時間記録して使用するディスク容量よりも小さいが、可変レートが最小である長時間モードで指定時間記録して使用するディスク容量よりも大きい場合となる。このケースは、選択する記録モードによっては記録容量が足りなくなり、指定時間記録できない場合があるが、調整可変レートにより平均レートを調整する記録モードを選択することで、使用するディスク容量全部を使い、可能な限り画質を保った効率的な録画が可能なケースである。
【００３７】
まず、録画装置では、時間管理部５２により、可変レートの最大値である２４Ｍｂｐｓに平均記録レートが設定されているＨＤモードで録画したとき、ディスク残り容量で約４１分（＝７．５ＧＢ×８ビット÷６０秒÷２４Ｍｂｐｓ）記録できることを算出する。同様に平均記録レートが１０Ｍｂｐｓの高画質モードでは、約１００分記録できることが算出される。この２つのモードで記録した場合、番組全てを録画するにはディスクの空き容量が足りないことがわかる。そのため、この２つのモードどちらかを選択して録画した場合、番組を最後まで録画できない確立が非常に高いことから、これら２つの選択肢をグレーアウト（図２で点線括弧）させて選択不可状態にし、録画ミスをなくすようにする。
【００３８】
同様に時間管理部５２により、標準モードでは約１６６分、長時間モードでは約３３３分の記録が可能なことが算出される。この２つのモードでは録画対象の番組は最後まで録画でき、ディスクにも空き容量を残す。
【００３９】
ここでピッタリモードでは７．５ＧＢの残り記録媒体容量に１１０分の番組を記録できるよう、平均記録レートを調整する。このときの平均記録レートは９．１Ｍｂｐｓと算出される。この算出された平均記録レートは、実際にはこの数値をピッタリモードの平均記録レートとして適用した場合、記録する映像の動きなど映像の質によってはこれを上回ることがあるため、番組全部を記録しきれないという場合がある。そのため、これより若干低い値を適用する方がよい。ただし、本実施形態においては便宜上この算出された数値をそのまま適用することとする。
【００４０】
前記算出された平均記録レートは９．１Ｍｂｐｓであり、これは標準モードよりも高画質であり、高画質モードに近いがそれよりは低画質である。そこで、録画条件設定の表示２００上に表示される条件設定選択肢は、ピッタリモードの選択肢が標準モードと高画質モードの間に表示されるようになり、ＨＤモード、高画質モード、ピッタリモード、標準モード、長時間モードの順番で表示される。
【００４１】
次に、ケース２について説明する。図３は、本発明の実施形態にかかるケース２での、録画条件設定の設定画面の例を示した図である。ケース２では、予約記録時間として２１：００から２２：５０までの１１０分とし、この予約設定時にディスク容量が４．５ＧＢある場合を例として説明する。ケース１と同様、時間管理部５２により、各モードにおける記録可能時間はそれぞれＨＤモード約２５分、高画質モード約６０分、標準モード約１００分、長時間モード約２００分と算出される。ピッタリモードは調整され５．５Ｍｂｐｓと算出される。
【００４２】
この場合、ピッタリモードの平均記録レート５．５Ｍｂｐｓは標準モードよりは低く、長時間モードよりは高い値である。そこで、録画条件設定の表示３００上に表示される選択肢は、ピッタリモードの選択肢が標準モードと長時間モードの間に表示されるようになり、ＨＤモード、高画質モード、標準モード、ピッタリモード、長時間モードの順番で表示される。
【００４３】
ピッタリモードの選択肢の表示位置が固定されている場合、各記録モードの比較、特にピッタリモードと他のモードとの比較において、比較要素は記録レートの数値のみであり、利用者は数字の大きさの違いを見て判断するしかないので、瞬時にはわかりにくいが、前記の実施形態のように、表示位置を変化させると瞬時にピッタリモードの画質を把握でき、録画条件設定の判断材料とすることができ、またミスを犯しにくくなる。
【００４４】
なお、前記説明では、調整平均レートよりも高い平均記録レートの規定値をもつ選択肢は、グレーアウトさせて選択できないようにしたが、設定画面上に表示しないようにしてもよい。しかし、番組の最後まで記録できなくても高画質で記録したいという要望に応えるならば、前記選択肢は記録容量が足りなくなる可能性のある旨表示し、選択可能にしてもよい。
【００４５】
また、前記説明においては、記憶媒体の記憶可能領域を全部使用することを前提として説明したが、例えば、その後に別の番組を録画をする予定がある場合などはその分の記憶領域を確保しておく必要がある。そのため、全記憶可能容量から必要分の記憶容量を差し引いた分について前記調整平均レートの算出を行い、表示するようにしてもよい。
【００４６】
以上説明したように、本発明の実施形態は、次のような構成、機能乃至作用を奏するものを含むものである。即ち、画像の記録レートを可変させ単位時間当たりの情報量を変化させる記録信号処理部と、前記変化させた画像を記録媒体に記録する記録媒体制御部と、前記画像を記録する記録媒体と、前記記録信号処理部での記録レートを可変制御する記録レート制御部と、録画しようとする画像の画質を設定する操作部と、前記記録媒体に記録可能な記録容量を求める記録残量管理部と、求めた記録容量と前記操作部によって設定された画質とに基づいて記録可能時間を求める時間管理部と、求めた記録容量と録画時間とに基づいて番組全てを録画できるように調整した平均記録レートを求める記録レート演算部と、を備え、前記求めた調整平均記録レートを、録画しようとする画像の画質として操作部により設定可能なように構成する。
【００４７】
そして、この構成において、前記記録レート制御部は操作部で設定された記録画質に応じて記録信号処理部の記録レートを制御する。また、記録画質設定時には、記録レートの違う幾つかの録画モードが初期設定選択肢として表示制御部により表示され、このとき前記求められた調整平均記録レートを同時に表示し、かつその表示位置を変化させる。
【００４８】
よって、本実施形態に係るデジタル録画装置は、録画番組の内容に応じて記録画質を設定し、設定した記録画質での録画が可能であり、記録媒体の残り記録容量と録画予約された録画時間とに基づいて記録レートを自動的に設定する記録レート演算部を備えたので、記録媒体の残り記録容量で録画予約された番組を録画することができる。
【００４９】
また、調整平均記録レートの値によって記録画質設定時の選択肢の表示位置が変化するので、調整平均記録レートの値が初期設定選択肢の各平均記録レートと比較して、どの程度のレベルになるのが視覚的にわかりやすい。
【００５０】
【発明の効果】
以上説明したように、本発明のデジタル録画装置によれば、予約録画等の録画条件設定時において、記録媒体の残り容量と録画する番組の時間によって、番組が全て録画できるように平均記録レートを調整する調整平均記録レートを録画モードとして選択可能な選択肢の表示位置を変化させることで、容易にその画質を判断することができる。
【図面の簡単な説明】
【図１】本発明の実施形態に係るデジタル録画装置の構成を示すブロック図である。
【図２】本実施形態のうちケース１における録画条件設定画面の一例を示した図である。
【図３】本実施形態のうちケース２における録画条件設定画面の一例を示した図である。
【符号の説明】
１  チューナ
２  記録信号処理部
３  媒体制御部
４  記録媒体
５  システム制御部
６  表示制御部
７  操作部
５１  記録残量管理部
５２  時間管理部
５３  記録レート演算部
５４  記録レート制御部
【図１】
0003645483.tif 000002
【図２】
0003645483.tif 000003
【図３】
0003645483.tif 000004